(57)【要約】【課題】面付錠を採用してガードアーム装置を構成する。【解決手段】塑性加工により３個以上の等高の突起５、５を室内側に突設し、各突起の頂部に雌ねじ孔を開口させた取付板２を扉内面４に装着し、一方、この取付板の突起の展開パターンと同一の展開パターンで、取付ねじ孔を厚さ方向に貫通するように形成すると共に、２段階に突出できるデッドボルト１をフロント板８から出没可能に嵌装した錠箱６と、一面が開口し、錠箱を内側に収納できる大きさの浅い箱状体で、取付板の突起の展開パターンと同一の展開パターンで取付ねじ挿通孔を開口させると共に、錠箱のフロント板を露呈させるため側板の一部を切り欠いたケース１６とを、取付ねじ１７、１７によって突起５上にねじ止めする。【選択図】  図４
2004257140.tif 000002
【特許請求の範囲】
【請求項１】
扉内面の自由側端縁付近に装着される板状体で、塑性加工により３個以上の等高の突起を室内側に突設し、各突起の頂部に雌ねじ孔を開口させた取付板と、この取付板の突起の展開パターンと同一の展開パターンで、取付ねじ孔を厚さ方向に貫通するように形成すると共に、２段階に突出できるデッドボルトをフロント板から出没可能に嵌装した錠箱と、一面が開口し、錠箱を内側に収納できる大きさの浅い箱状体で、取付板の突起の展開パターンと同一の展開パターンで取付ねじ挿通孔を開口させると共に、錠箱のフロント板を露呈させるため側板の一部を切り欠いたケースとを備え、錠箱を取付板の突起群上に載置し、ケースにより錠箱を覆った状態で、錠箱をケース及び錠箱を貫通する取付ねじにより取付板にねじ止めするようにしたことを特徴とする面付ガードアーム錠。
【請求項２】
錠箱のフロント板を、錠箱の外側板と扉内面との隙間を覆うことができるように、デッドボルトに関し幅方向で非対称にしたことを特徴とする請求項１に記載の面付ガードアーム錠。
【発明の詳細な説明】
【０００１】
【発明が属する技術分野】
この発明は、面付ガードアーム錠に係り、特に、ガードアームと係合するデッドボルトを扉面から浮せてガードアームとの係合を容易にし、しかも構造が簡単で見栄えも良い面付ガードアーム錠に関する。
【０００２】
【従来の技術】
【特許文献１】実公平３−３９５８５号公報
ガードアームとは、上記特許文献１に記載されているように、例えば一端を扉枠に回動可能に枢着され、他端にガードアーム錠のデッドボルトの先端と係合する係合孔を開口させたレバーを、例えば刀の刀身と鞘のように係合させて伸縮可能に構成してある。
【０００３】
一方、このガードアームと係合するガードアーム錠は、通常扉側、例えば扉の自由側端縁部に埋設され、扉の自由側端縁から２段階に突出できるデッドボルト１（図１参照）を出没可能に嵌装している。
【０００４】
そして、閉扉時サムターンの操作によりデッドボルト１を１段階突出させ、デッドボルト１の先端をガードアームの先端の係合孔と係合させた状態で扉を開けると、ガードアームがデッドボルトの先端と扉枠とを連結するから、ドアチェーンのように扉の開角度を制限することができ、安全に郵便物の受け渡し、或いは来客の確認をすることができる。
【０００５】
上記のように扉の自由側端縁部に埋設されたガードアーム錠は、デッドボルト１の先端の周囲に広い空間を確保できるから、ガードアームの先端の係合孔との係合が容易であり、換言すればガードアーム装置の設計が容易である。
【０００６】
【発明が解決しようとする課題】
しかしながら、上記したガードアーム錠が扉の自由側端縁部に埋設されるタイプのガードアーム装置は、ガードアームアームが外部空間に露出するので、外部からの攻撃に弱く、防犯性能に必ずしも優れていない、という恨みが残る。
【０００７】
一方、錠箱を室内空間に露出させて扉内面に装着する所謂面付錠は、デッドボルトを扉の自由側端縁より吊り元側に配置できるので、これをガードアーム装置に適用した場合ガードアームを室内側に隠すことができ、ガードアーム装置の防犯性が向上する。
【０００８】
しかしながら、面付錠はデッドボルトと扉内面との間隔が小さいので、デッドボルトの先端をガードアーム先端の係合孔と係合させることが困難である、という別の不都合がある。
【０００９】
この発明は、上記した不都合を解消し、ガードアームと係合するデッドボルトを扉面から浮せてガードアームとの係合を容易にし、しかも構造が簡単で見栄えも良い面付ガードアーム錠を提供することを目的としている。
【００１０】
【課題を解決するための手段】
上記の目的を達成するため、請求項１に記載の発明は、扉内面の自由側端縁付近に装着される板状体で、塑性加工により３個以上の等高の突起を室内側に突設し、各突起の頂部に雌ねじ孔を開口させた取付板と、この取付板の突起の展開パターンと同一の展開パターンで、取付ねじ孔を厚さ方向に貫通するように形成すると共に、２段階に突出できるデッドボルトをフロント板から出没可能に嵌装した錠箱と、一面が開口し、錠箱を内側に収納できる大きさの浅い箱状体で、取付板の突起の展開パターンと同一の展開パターンで取付ねじ挿通孔を開口させると共に、錠箱のフロント板を露呈させるため側板の一部を切り欠いたケースとを備え、錠箱を取付板の突起群上に載置し、ケースにより錠箱を覆った状態で、錠箱をケース及び錠箱を貫通する取付ねじにより取付板にねじ止めするようにしたことを特徴とする。
【００１１】
また、請求項２に記載の発明は、錠箱のフロント板を、錠箱の外側板と扉内面との隙間を覆うことができるように、デッドボルトに関し幅方向で非対称にしたことを特徴とする。
【００１２】
【実施例】
以下、この発明の実施例を図面を参照して説明する。
図３及び図４において符号２は取付板を示し、図示の実施例における取付板２は、外形が矩形の板状体で、複数個の取付ビス３、３（図４参照）によって扉の内面４に装着される。
【００１３】
この取付板２には、プレス等の塑性加工により、３個以上（図示の実施例では４個）の等高の突起５、５が室内側に凸になるように突設されており、各突起の頂部（図示の実施例では円錐台径の頂面）に付番しない取付ねじ孔（雌ねじ孔）が開口している。
【００１４】
なお、突起の数を３個以上としたのは、後述する錠箱の装着の際、錠箱の側面に当接する突起の数が３以上でないと錠箱の位置が不安定になるからである。
【００１５】
一方、図１及び図３乃至図５において符号６は錠箱を示し、図示の実施例における錠箱６は、図１に示すように、デッドボルト１の中心軸線とデッドカム７の回動軸線とが同一水平面上にあるように配設されている。
【００１６】
また、デッドボルト１の中心軸線は、錠箱６の前面、すなわち、錠箱６のフロント板８（図１、図２及び図５参照）が装着される面の中央を通るように各部材の形状及び寸法が設定されている。
【００１７】
換言すれば、デッドボルト１の中心軸線は、錠箱の上下方向における中央を通る水平面と、錠箱の側板の外表面６ａ、６ａ（図２参照）に平行で、これらの中間を通る垂直面との交線である。
【００１８】
デッドボルト１の中心軸線を上記のように配設するには、図１に示すように、全体の形状が略Ｌ字形で、フロント板８に垂直な前後方向に移動可能に案内されたスライダ９を錠箱内に設け、その水平部に紙面方向において位置を違えて第１及び第２従動切欠１１、１２を形成する。
【００１９】
一方、スライダ９の前方の垂直部にデッドボルト１を装着し、この装着位置を適切に設定してデッドボルト１の中心軸線が錠箱の上下方向における中心を通るようにする。
【００２０】
また、スライダ９の図１紙面方向の取付位置、及びスライダ９におけるデッドボルト１の紙面方向における取付位置を適切に設定することにより、上記したようにデッドボルト１を錠箱前面における中央に配設することができる。
【００２１】
なお、デッドカム７の第１及び第２係合部７ａ、７ｂを夫々スライダの上記第１および第２従動切欠１１、１２と同じエレベーションに配設し、ガードアーム装置作動時、サムターン１０を介してデッドカム７を時計方向に４５度回動させ、第１係合部７ａがスライダの第１衝止部１３に乗り上がったとき、デッドボルト１を１段突出させる。
【００２２】
このとき、先端部に括れ１５（図１参照）を形成したデッドボルトの先端部が前記ガードアームの自由端の係合孔に係合し、前記したと同様にしてガードアーム装置が作動する。
【００２３】
また、閉扉した後、サムターンを介してデッドカム７を時計方向に更に４５度回動させ、デッドカム７の第２係合部７ｂがスライダの第２衝止部１４に乗り上がったとき、デッドボルト１がガードアームの自由端を貫通するようにして扉枠２０のストライク孔に投入され（図４参照）、このようにして扉が施錠される。
【００２４】
なお、上記したガードアーム錠の錠箱の構造、及び作用等は周知であるから、更に詳細な説明は省略する。
【００２５】
他方、上記した構成の錠箱を扉内面に装着するとき、ケース１６によって錠箱６を覆うようにする。
【００２６】
このケース１６は、一面が開口した浅い箱状の例えば合成樹脂製の部材で、その開口部を扉内面側に向けるようにして錠箱６を覆い、このケース１６の取付ねじ挿通孔１９（図３参照）及び錠箱６を貫通して前記突起５の頂部の取付ねじ孔に螺合する取付ねじ１７、１７（図３及び図４参照）によって、取付板２を介して扉内面に装着される。
【００２７】
そのため、ケース１６及び錠箱６の側面には、図５に示すように、前記突起５、５の展開パターンと同一展開パターンで取付ねじ孔及び取付ねじ挿通孔１８、１９が開口している。
【００２８】
なお、図示の実施例においては、図５に示すように、突起５、５及び取付ねじ孔１８、１８の展開パターンは矩形をなし、かつ、デッドボルト１の中心軸線に関し対称に配設されており、錠箱を図５において上下逆向きにしても、或いは裏返しても扉面に装着できるように考慮されている。この点については後に更に詳細に説明する。
【００２９】
また、図２及び図４に示すように、ケース１６の扉枠２に対向する側面は、フロント板８を露呈するために一部が切り欠かれている。
【００３０】
なお、図示の実施例では、図１乃至図４に示すように、ケース１６の扉内面４への投影形状が取付板２の外形と同じに設定されており、装着時取付板の側端縁が見えるが、取付板の外形を少し小さくすれば、取付板をケース１６内に隠すことができる。
【００３１】
更にまた、図示の実施例では、図２に示すように、錠箱の側板外面６ａと扉内面との間の隙間を覆うことができるように、フロント板８の幅がガードアーム１に関し非対称になっている。
【００３２】
上記のように構成されたこの発明の一実施例による面付ガードアーム錠は、前記したように、或いは図３及び図４に示すように、取付ビス３によって予め扉内面４上に装着された取付板２上にねじ止めする。
【００３３】
すなわち、ケース１６内に収納した状態の錠箱６を取付板２の突起群５、５上に載置し、ケースの取付ねじ挿通孔１９及び錠箱の取付ねじ孔１８を挿通した取付ねじ１７、１７によってケース１６及び錠箱６を取付板２にねじ止めする。
【００３４】
なお、図示の実施例では、ケース１６の上面に開口する取付ねじ孔１８及び取付ねじ１７を隠すため、図６及び図７に示すように、横断面がＬ字形で、全体が湾曲したねじ隠し２１によりケース１６の両端の凹陥部を覆う構造である。
【００３５】
すなわち、ねじ隠し２１の一端部に突設された一対の第１係合爪２１ａ、２１ａを図８に示すケース１６の端部の第１受入孔１６ａ、１６ａの夫々と係合させ、他端に突設された第２係合爪２１ｂ（図６参照）をケース１６の凹陥部１６ｂにパチンと嵌め込む。
【００３６】
また、図示の実施例による面付ガードアーム錠は、扉の左右勝手に対応できる。  ちなみに左右勝手とは、例えば本出願人会社では、扉が開く側から扉を見て扉の吊り元（蝶番）が右側にあるものを右勝手といい、左側にあるものを左勝手と定めている。
【００３７】
左右勝手を変えるには、図９に示すように、ケース１６（図９では図示を省略してある）と錠箱６とを一体にしたまま１８０度回転させて、それまで図で左側に突出するように取り付けられていたデッドボルト１を右側に突出させるようにする。
【００３８】
なお、人間工学的には、サムターン１０の錠端部の回動方向とデッドボルトの突出する方向が一致していることが望ましく、上記のように単に錠箱を反回転させただけではサムターンの回転方向が逆になる（図９のデッドカム７の偏平な連結孔の向き参照）。
【００３９】
そこで、サムターンの回転方向を変えずに左右勝手を変えるには、図１０に示すように、一旦錠箱６とケース１６とを分解し、フロント板８を正面から見て上下逆に錠箱の前面にねじ止めした後、上下方向は同じにして錠箱を裏返し、その状態でケース１６を錠箱に収納して取付板２に装着する。
【００４０】
この場合、図１０のデッドカム７の連結孔を見れば明らかなように、サムターンの回転方向を人間工学的に好ましく保った侭左右勝手を変えることができる。
【００４１】
また、錠箱を上下逆に装着する場合も、裏返しにして装着する場合も、取付ねじ孔がデッドボルトの中心軸線に関し対称的に配置されていることから、サムターンの位置を変えずに左右勝手を変えることができることは言うまでも無い。
【００４２】
【発明の効果】
以上の説明から明らかなように、この発明による面付ガードアーム錠は、図４に示すように、その取付状態において扉内面４とデッドボルト１との間に必要にして充分な隙間を確保することができ、従来は困難であった面付ガードアーム錠の作動を可能にする。
【００４３】
また、面付錠の特性として錠箱を扉の自由側端縁から吊り元側に偏位させることができるから、ガードアームを扉の内側に隠すことができ、ガードアームに体する攻撃を不可能にしてガードアーム装置の安全性を向上させることができる。
【００４４】
更にまた、錠箱は完全にケース内に収納されて隠されるので、見栄えが良い、等種々の効果を奏する。
【図面の簡単な説明】
【図１】この発明の一実施例による面付ガードアーム錠の一部断面側面図。
【図２】この発明の一実施例による面付ガードアーム錠の正面図。
【図３】この発明の一実施例による面付ガードアーム錠の正面から見た断面図。
【図４】この発明の一実施例による面付ガードアーム錠の一部断面平面図。
【図５】錠箱の側面図。
【図６】ねじ隠しの平面図。
【図７】ねじ隠しの図６ＶＩＩ−ＶＩＩ線による横断面図。
【図８】ケースの一部平面図。
【図９】錠箱を反回転させて左右勝手を変える場合を説明する線図。
【図１０】錠箱を裏返して左右勝手を変える場合を説明する線図。
【符号の説明】
１  デッドボルト
２  取付板
３  取付ビス
４  扉内面
５  突起
６  錠箱
７  デッドカム
８  フロント板
１０  サムターン
１６  ケース
１７  取付ねじ
１８  取付ねじ孔
１９  取付ねじ挿通孔
２０  扉枠
２１  ねじ隠し
【図１】
2004257140.tif 000003
【図２】
2004257140.tif 000004
【図３】
2004257140.tif 000005
【図４】
2004257140.tif 000006
【図５】
2004257140.tif 000007
【図６】
2004257140.tif 000008
【図７】
2004257140.tif 000009
【図８】
2004257140.tif 000010
【図９】
2004257140.tif 000011
【図１０】
2004257140.tif 000012